(57)【特許請求の範囲】
【請求項１】
棒状の繊維強化部材を使用した構造物の補強工法であって、
構造物に所定の間隔で先貼りシートを貼付するシート貼付工程と、
緊張装置によって、棒状の繊維強化部材に緊張力を附加する緊張力附加工程と、
緊張力が附加された前記棒状の繊維強化部材を構造物に近接させた後、前記棒状の繊維強化部材の周囲に接着用樹脂を充填し、前記先貼りシートと前記棒状の繊維強化部材とを接着し、後貼りシートで接着部の周囲を包んで補強する接着工程と、
前記構造物と前記棒状の繊維強化部材の固着後に、前記緊張装置の緊張を解除し、前記棒状の繊維強化部材の端部を前記緊張装置から切断し、緊張力の附加された前記棒状の繊維強化部材と構造物とを一体化する張力導入工程と、を備える、
ことを特徴とする棒状の繊維強化部材を使用した構造物の補強工法。
【請求項２】
前記緊張装置は、直線状の反力梁の左右両端部に備えられた一対の緊張材カプラーと、偏向可能緊張材と、緊張材偏向部と、油圧ジャッキとを備え、
前記偏向可能緊張材の自由端部は緊張材固定部により前記緊張材偏向部に緊定されると共に、前記構造物から離隔する方向に傾斜して固定される、
ことを特徴とする請求項１に記載の棒状の繊維強化部材を使用した構造物の補強工法。
【請求項３】
前記緊張材偏向部は、回転防止機構により前記反力梁に対して平行移動すると共に、前記反力梁に対して平行に伸縮する前記油圧ジャッキにより駆動される、
ことを特徴とする請求項２に記載の棒状の繊維強化部材を使用した構造物の補強工法。
【請求項４】
前記緊張材偏向部は、前記構造物から退避する方向に端部が傾斜して緊定された前記偏向可能緊張材を前記反力梁に対して平行に摺動して緊張力を附加する、
ことを特徴とする請求項２または３に記載の棒状の繊維強化部材を使用した構造物の補強工法。
【請求項５】
前記緊張材偏向部は、前記反力梁に固定されると共に、前記構造物から退避する方向に端部が傾斜して緊定された前記偏向可能緊張材を前記反力梁に対して傾斜して配置された前記油圧ジャッキにより緊張力を附加する、
ことを特徴とする請求項２に記載の棒状の繊維強化部材を使用した構造物の補強工法。
【請求項６】
前記接着工程において、前記棒状の繊維強化部材と対向する構造物側に前記棒状の繊維強化部材の外周と所定の隙間を有する凹溝を備えた枠体を設置し、前記凹溝内に接着用樹脂を充填する、
ことを特徴とする請求項１から請求項５の何れか１項に記載の棒状の繊維強化部材を使用した構造物の補強工法。
【請求項７】
前記棒状の繊維強化部材は、玄武岩繊維と合成樹脂とを含有する、
ことを特徴とする請求項１から請求項６の何れか１項に記載の棒状の繊維強化部材を使用した構造物の補強工法。
【発明の詳細な説明】
【技術分野】
【０００１】
この発明は、道路橋や鉄道橋及び建築構造物等の構造物に、緊張させた棒状の繊維強化部材を接着し、構造物の耐荷性能を向上させる構造物の補強工法である。
【背景技術】
【０００２】
一般に構造物、例えば道路橋では、通過する車両の大型化による耐荷性能の不足、経年劣化によるコンクリート品質の低下、鉄筋や鋼板などの鋼材の腐食による耐荷性能の低下、大規模な地震発生後の耐震基準の見直しに基づき要求される耐荷性能の不足等の問題に直面している。
そこで、構造物の耐荷性能の回復や向上を図るべく、種々の繊維強化樹脂（ＦＲＰ）を用いた構造物の補強工法が提案されている。
【０００３】
例えば、特許文献１には、高弾性の繊維から成る繊維強化プラスチックの追加補強筋をコンクリート表面に削溝した箇所に埋設した後、溝部に樹脂モルタルを充填し、既設構造物と補強筋を一体化させ、補強筋を追加する工法である。ここで、高弾性の繊維から成る補強筋は、その配置から緊張力の導入が出来ないため、既設鉄筋の代替として使用される。
また、特許文献２には、緊張材に鉄筋やフラットバー、ＰＣ鋼材の他、ガラスやグラファイト、金属繊維に樹脂を含浸させ硬化させて棒状、もしくは板状に形成した繊維強化材料を使用したコンクリート部材の補強方法等が開示されている。ここで緊張材の定着には固定装置が使用される。この固定装置は、コンクリート部材に切欠き部を設け埋設金具を使用する構造である。
さらに、特許文献３には、繊維シート、クロス（炭素繊維、ガラス繊維、アラミド繊維、ナイロン繊維、ポリエステルを一部混入したハイブリッド繊維）を緊張してコンクリート構造物を補強する補強方法が開示されている。この補強方法は、緊張された繊維材の上面に端部補強のための補強シートを貼りつけている。
【先行技術文献】
【特許文献】
【０００４】
【特許文献１】特許第３８７７１４５号公報
【特許文献２】特許第３９８３５９９号公報
【特許文献３】特許第４５５４８４５号公報
【発明の概要】
【発明が解決しようとする課題】
【０００５】
しかし、特許文献１に記載された工法では、補強材を緊張しないため死荷重（固定荷重）に対する補強効果が期待できなかった。
特許文献２に記載された工法では、板状の繊維強化プラスチックを使用しており、特殊な保持用金具で構造物に定着しなければならない。そのため、特殊な保持用金具は既設構造物への削孔作業により、アンカー等で固定する必要があり、その削孔時に構造物中の鋼材を破断させる危険や、削孔作業に伴い既設構造物の性能を低下させる虞が存在した。
特許文献３に記載された工法では、繊維シートを補強材として使用するため、一層当たりの断面積が小さく、複数枚接着して積層する必要がある。また、積層された複数枚の繊維シートを均一に緊張するのが困難であった。さらに、一層中の繊維シートの端部と中央部の断面積が均一となるように緊張するのが困難であった。また、均一に緊張するためには緊張装置がより複雑となり、緊張作業の管理が煩雑であった。
【０００６】
本発明の構造物の補強工法は、構造物に所定の間隔で先貼りシートを貼付した後、緊張装置によって棒状の繊維強化部材を緊張し、この棒状の繊維強化部材を構造物に近接させて先貼りシートと後貼りシート及び接着用樹脂を用いて、構造物と棒状の繊維強化部材の固着後に、棒状の繊維強化部材の端部を切断して張力を導入することで、構造物の補強を図ることができる。そのため、構造物に固定荷重に対応した補強ができると共に、構造物に削孔したり、特殊な定着具を必要とせず、緊張作業を簡易に行うことができる。
【課題を解決するための手段】
【０００７】
本発明は、以下のような内容である。
（１）本発明の棒状の繊維強化部材を使用した構造物の補強工法は、棒状の繊維強化部材を使用した構造物の補強工法であって、構造物に所定の間隔で先貼りシートを貼付するシート貼付工程と、緊張装置に棒状の繊維強化部材をセットし緊張力を附加する緊張力附加工程と、緊張力が附加された前記棒状の繊維強化部材を構造物に近接させた後、前記棒状の繊維強化部材の周囲に接着用樹脂を充填し、前記先貼りシートと前記棒状の繊維強化部材とを接着し、後貼りシートで接着部の周囲を包んで補強する接着工程と、前記構造物と前記棒状の繊維強化部材の固着後に、前記緊張装置の緊張を解除し、前記棒状の繊維強化部材の端部を前記緊張装置から切断し、緊張力の附加された前記棒状の繊維強化部材の一部と構造物とを一体化する張力導入工程と、を備えることを特徴とする。
（２）前記緊張装置は、直線状の反力梁の左右両端部に備えられた一対の緊張材カプラーと、偏向可能緊張材と、緊張材偏向部と油圧ジャッキとを備え、前記偏向可能緊張材の自由端部は緊張材固定部により前記緊張材偏向部に緊定されると共に、前記構造物から離隔する方向に傾斜して固定されることを特徴とする。
（３）前記緊張材偏向部は、回転防止機構により前記反力梁に対して平行移動すると共に、前記反力梁に対して平行に伸縮する油圧ジャッキにより駆動されることを特徴とする。
（４）前記緊張材偏向部は、前記構造物から退避する方向に端部が傾斜して緊定された前記偏向可能緊張材を前記反力梁に対して平行に摺動して緊張力を附加することを特徴とする。
（５）前記緊張材偏向部は、前記反力梁に固定されると共に、前記構造物から退避する方向に端部が傾斜して緊定された前記偏向可能緊張材を前記反力梁に対して傾斜して配置された前記油圧ジャッキにより緊張力を附加することを特徴とする。
（６）前記接着工程において、前記棒状の繊維強化部材と対向する前記構造物側に、前記棒状の繊維強化部材の外周と所定の隙間を有する凹溝を備えた枠体を設置し、前記凹溝内に接着用樹脂を充填することを特徴とする。
（７）前記棒状の繊維強化部材は、玄武岩繊維と合成樹脂とから成ることを特徴とする。
【発明の効果】
【０００８】
本発明の棒状の繊維強化部材を使用した構造物の補強工法によれば、構造物に所定の間隔で先貼りシートを貼付するシート貼付工程と、緊張装置によって棒状の繊維強化部材に緊張力を附加する緊張力附加工程と、緊張力が附加された棒状の繊維強化部材を、構造物に近接させた後、棒状の繊維強化部材の周囲に接着用樹脂を充填し、先貼りシートおよび構造物と棒状の繊維強化部材とを接着し、後貼りシートで接着部の周囲を包んで補強する接着工程と、構造物と棒状の繊維強化部材の固着後に、緊張装置の緊張を解除し、棒状の繊維強化部材の端部を緊張装置から切断し、緊張力の附加された棒状の繊維強化部材と構造物とを一体化する張力導入工程とを備えるので、構造物に固定荷重に対応した補強ができると共に、構造物に削孔したり、特殊な定着具を必要とせず緊張作業を簡易に行うことができる。
【０００９】
また、積層構造の繊維強化部材に比べて均一に緊張することができる。つまり、積層構造の繊維強化部材では、１層の断面積が小さいと共に、均一に緊張することが困難である。特に積層シートの断面中央と端部とを均等に緊張することが難しい。
【００１０】
また、緊張装置は、直線状の反力梁の左右両端部に備えられた一対の緊張材カプラーと、偏向可能緊張材と、緊張材偏向部と油圧ジャッキとを備え、偏向可能緊張材の自由端部は緊張材固定部により緊張材偏向部に緊定されると共に、構造物から離隔する方向に傾斜して固定されるので、緊張作業を容易に実施できると共に、構造物に削孔したり、特殊な定着具を必要としない。
【００１１】
また、緊張材偏向部は、回転防止機構により反力梁に対して平行移動すると共に、反力梁に対して平行に伸縮する油圧ジャッキにより移動されるので、棒状の繊維強化部材を緊張する位置と油圧ジャッキの伸張位置が異なり緊張作業を容易に実施できる。構造物の端部でなく、中間部であっても棒状の繊維強化部材を取り付けることができる。
【００１２】
また、緊張材偏向部は、構造物から退避する方向に端部が傾斜して緊定された偏向可能緊張材を反力梁に対して平行に摺動して緊張力を附加するので、構造物の中間部であっても棒状の繊維強化部材を構造物の底面に取り付けることができる。さらに、繊維強化部材の端部の切断作業を容易にすることができる。
【００１３】
また、緊張材偏向部は、反力梁に固定されると共に、構造物から退避する方向に端部が傾斜して緊定された偏向可能緊張材を反力梁に対して傾斜して配置された油圧ジャッキにより緊張力を附加するので、油圧ジャッキが邪魔になることなく、棒状の繊維強化部材と構造物とを容易に密着させることができる。
【００１４】
また、接着工程において、前記棒状の繊維強化部材と対向する構造物側に棒状の繊維強化部材の外周と所定の隙間を有する凹溝を備えた枠体を設置し、凹溝内に接着用樹脂を充填するので、棒状の繊維強化部材と構造物を強固に接着することができる。
【００１５】
また、棒状の繊維強化部材は、多量に存在する玄武岩を原料とした玄武岩繊維と合成樹脂とから成るので安価に提供できると共に、十分な補強効果を得ることができる。
【図面の簡単な説明】
【００１６】
【図１】棒状の繊維強化部材を使用した構造物の補強工法における緊張装置で緊張させた棒状の繊維強化部材を対象とする構造物に近接させる工程を示す説明図である。
【図２】棒状の繊維強化部材を使用した構造物の補強工法における緊張装置で緊張させた棒状の繊維強化部材を対象とする構造物に貼着するシート貼付工程を示す説明図である。
【図３】接着部以外の構造物と棒状の繊維強化部材との関係を示す断面図である。（ａ）樹脂枠用モルタルで凹溝が形成されている場合、（ｂ）断面Ｌ字形の樹脂用枠で凹溝が形成されている場合
【図４】接着部における構造物と棒状の繊維強化部材との関係を示す断面図である。（ａ）樹脂枠用モルタルで凹溝が形成されている場合、（ｂ）断面Ｌ字形の樹脂用枠で凹溝が形成されている場合、（ｃ）中間の剥落防止部
【図５】シート貼付工程において、棒状の繊維強化部材を緊張装置で緊張させた状態で接着用樹脂を硬化させ、棒状の繊維強化部材の端部を切断する前の工程を示す説明図である。
【図６】接着用樹脂の硬化後、棒状の繊維強化部材の端部を切断し、緊張装置から切り離す工程を示す説明図である。
【図７】本発明の実施形態に係る棒状の繊維強化部材を使用した構造物の補強工法により補強された梁形状の構造物を示す側面図である。
【図８】棒状の繊維強化部材を使用した構造物の補強工法に使用される緊張装置を示す要部説明図である。
【図９】図８のＡ−Ａ線断面の拡大図である。
【図１０】緊張材偏向部を固定とし緊張材偏向部に油圧ジャッキ（センターホール）を取り付ける緊張装置の他の実施例を示す正面図である。
【図１１】緊張材偏向部を固定とした緊張装置の他の実施例を示す要部断面と緊張装置に作用する力を示した図である。斜線は偏向可能緊張材位置で切断表示したものである。
【発明を実施するための形態】
【００１７】
以下、一実施の形態を示す図面に基づいて、本発明の実施形態を詳細に説明する。
図１は本発明の棒状の繊維強化部材を使用した構造物の補強工法における緊張装置で緊張させた棒状の繊維強化部材を対象とする構造物に近接させる工程を示す説明図、図２は同緊張装置で緊張させた棒状の繊維強化部材を対象とする構造物に貼着する貼付工程を示す説明図である。
本実施形態に係る棒状の繊維強化部材を使用した構造物の補強工法は、構造物１０に所定の間隔で先貼りシート１１および剥離防止シート１１ａを貼付するシート貼付工程と、緊張装置１２に棒状の繊維強化部材１３をセットし緊張力を附加する緊張力附加工程と、緊張力が附加された棒状の繊維強化部材１３を構造物１０に近接させた後、棒状の繊維強化部材１３の周囲に接着用樹脂１４を充填し、先貼りシート１１と構造物１０の底面に棒状の繊維強化部材１３を接着し、先貼りシート１１の位置に形成された接着部１７は後貼りシート１６で接着部１７の周囲を包んで補強する接着工程と、構造物１０と棒状の繊維強化部材１３が固着後に、緊張装置１２の緊張を解除し、棒状の繊維強化部材１３の端部を緊張装置から切断し、緊張力（ひずみ）の附加された棒状の繊維強化部材１３と構造物１０とを一体化する張力導入工程とを備える。
なお、先貼りシート１１や後貼りシート１６は棒状の繊維強化部材１３の緊張力の影響が大きい繊維強化部材端部や補強後に影響が大きい中間部補強することを目的としている。
【００１８】
［シート貼付工程］
シート貼付工程は、図１に示すように、構造物１０の底面に接着用樹脂のためのプライマー３１を塗布する。次に、構造物１０の底部に所定の間隔Ｌで先貼りシート１１を貼付する。先貼りシート１１は、構造物１０と接着する棒状の繊維強化部材１３の端部などの補強すべき範囲に貼付すると共に、その中央にも棒状の繊維強化部材１３の剥離防止の為に剥離防止シート１１ａを貼付する。
先貼りシート１１は、例えば玄武岩繊維を布状に加工したもの等を最適に使用することができる。
【００１９】
［緊張力附加工程］
緊張力附加工程は、図１に示すように、緊張装置１２に棒状の繊維強化部材１３をセットし、その両端部を緊張材固定部１８で固定する。その後、油圧ジャッキ１９により緊張材偏向部２０が移動することにより棒状の繊維強化部材１３に緊張力を附加する。この時、棒状の繊維強化部材１３の両端部は、緊張材カプラー２２を介して、たとえばＰＣ鋼より線などの偏向可能緊張材２３に接続し、緊張材偏向部２０により構造物１０から離隔する方向に傾斜して固定される。ここで、棒状の繊維強化部材１３は、その材料の特性から曲線状に配置することが困難であるため、緊張材カプラー２２を介して緊張材偏向部２０の湾曲傾斜した溝部２０ａを偏向可能緊張材２３により緊張される（図１１参照）。
偏向可能緊張材２３は、構造物１０から離隔する方向に傾斜して固定されるので、緊張作業が容易に実施できると共に、棒状の繊維強化部材１３を構造物１０の底面に極力近接させて配置することが可能となる。また、構造物１０の底面に棒状の繊維強化部材１３を接着するため、構造物１０に削孔したり、特殊な定着具を必要としない。
油圧ジャッキ１９は、構造物（反力梁）１０と平行方向に伸縮する。
【００２０】
［接着工程］
先貼りシート１１および剥離防止シート１１ａを貼り付けた後、構造物１０の底面（棒状の繊維強化部材１３と対向する構造物側）に断面Ｌ字形の樹脂用枠２９または樹脂枠用モルタル１５により凹状の溝（凹溝）を備えた枠体を設置する（図１では省略する。）。この凹溝は、棒状の繊維強化部材の外周と所定の間隔を有するものである。
接着工程は、図２、図３、および図４に示すように樹脂用枠モルタル１５または樹脂用枠２９により予め成型された凹溝に、緊張装置１２を移動してセットされた棒状の繊維強化部材１３を構造物１０の表面に近接させた後、棒状の繊維強化部材１３の周囲に接着用樹脂１４を充填し、構造物１０と棒状の繊維強化部材１３と接着する。この際、先貼りシート１１および剥離防止シート１１ａと構造物１０が接着している部分には接着部１７が形成される（図４）。さらに、先貼りシート１１の位置に形成された接着部１７は、後貼りシート１６で接着部１７の周囲を包んで補強する。
図４（ｂ）のように樹脂用枠２９を設置した場合、構造物１０と樹脂用枠２９の上に樹脂用枠モルタル１５を設け、接着用樹脂１４を充填後、後貼りシート１６を貼り付ける。
図４（ｃ）は、後貼りシート１６で補強した後、棒状の繊維強化部材１３に大きな力が作用する可能性の高い中間の剥落防止部を示す説明図である。
接着用樹脂１４は、充填性や施工性、可使時間等を考慮して選定する。また、粘性の高い接着用樹脂１４を使用してコテ等を用いて施工することもできる。
【００２１】
［引張導入工程］
張力導入工程は、図５および図６に示すように構造物１０と棒状の繊維強化部材１３とが固着された後に、緊張装置１２の油圧ジャッキ１９を操作して緊張を解除し、棒状の繊維強化部材１３の端部を緊張装置１２から切断する。すると、図７に示すように緊張力の附加された棒状の繊維強化部材１３と構造物１０とが一体化され補強が行われる。そのため、緊張力（ひずみ）が解放された棒状の繊維強化部材１３から構造物１０に緊張力（ひずみ）が移行する。
【００２２】
次に、図１、図８および図９にしたがって、緊張装置１２について説明する。緊張装置１２は、図８に示したように、直線状の反力梁２１の左右両端部に備えられた一対の緊張材偏向部２０と油圧ジャッキ１９と緊張材固定部１８とを備えている。また、棒状の繊維強化部材１３は、緊張材カプラー２２と偏向可能緊張材２３を介して緊張材固定部１８によって緊張材偏向部２０に固定される。さらに、緊張材偏向部２０は、反力梁２１の端部上面に配置されたスライド板２４上を摺動すると共に、左右側面から突出した案内ピン２５によりスライド板２４から直角に立設された側壁２６に形成された長穴２７内に遊嵌されている。また、緊張材偏向部２０の一端は、油圧ジャッキ１９の作動ロッドに連結されており、長穴２７に沿って平行移動する。 
【００２３】
緊張材偏向部２０は、図９に示したように、軸線方向中央の上面に棒状の偏向可能緊張材２３を収納するための溝部２０ａを有している。この溝部２０ａは端部に向かって下降傾斜しており、緊張される棒状の繊維強化部材１３の仮想延長軸線から離隔する方向に傾斜している。また、溝部２０ａの端部に緊張材固定部１８が配置されており、偏向可能緊張材２３を固定する。つまり、偏向可能緊張材２３の自由端部は緊張材固定部１８により緊張材偏向部２０に緊定されると共に、構造物１０から離隔する方向に傾斜して固定される。
【００２４】
また、緊張材偏向部２０は、側壁２６に形成された長穴２７、２７内を複数の案内ピン２５を案内されつつ摺動するので、油圧ジャッキ１９の作動点ｋと緊張材偏向部２０が偏向可能緊張材２３を介して棒状の繊維強化部材１３を支える点ｍがＨだけ変位することにより生じる回転力Ｒに対抗して平行移動することができる（図８）。なお、緊張材偏向部２０の回転防止機構は、長穴２７と案内ピン２５の他に別の機構であってもよい。
【００２５】
緊張装置１２の他の実施例を図１０および図１１にしたがって説明する。本実施例において、緊張装置１２は直線状の反力梁２１の左右両端部に固定された一対の緊張材偏向部２０−１と反力梁の軸線に対して傾斜して配置された油圧ジャッキ２８と偏向可能緊張材２３の端部を固定する緊張材固定部１８とを備えている。
緊張装置１２の緊張材偏向部２０−１は、反力梁２１にボルト等で固定されている。また、緊張材偏向部２０−１は、軸線方向中央の上面に棒状の偏向可能緊張材２３を収納するための溝部２０ａを有している。この溝部２０ａは端部に向かって傾斜しており、緊張される棒状の繊維強化部材１３の仮想延長軸線から離隔する方向に傾斜する。また、溝部２０ａの端部には溝部２０ａに沿って傾斜配置された油圧ジャッキ２８が配置され、その先に緊張材固定部１８が配置されており、偏向可能緊張材２３を固定する。つまり、偏向可能緊張材２３の自由端部は油圧ジャッキ２８により、構造物１０から離隔する方向に傾斜して緊張される。
このように構成した場合は、緊張材偏向部２０−１がボルト等により反力梁２１に固定されているので、緊張材偏向部２０−１が偏向可能緊張材２３を介して棒状の繊維強化部材１３を支える点ｐと油圧ジャッキ２８の作用点ｏとがＨだけ変位することにより生じる回転力Ｒに対抗できる。
図１０の緊張装置は構造がシンプルであるが、梁の端部まで補強する場合は図１の装置に比べ制約を受ける。
【００２６】
棒状の繊維強化部材１３には、建築用繊維強化プラスチック（ＢＦＲＰ）を使用することができる。例えば玄武岩の短繊維から製造されたバサルト繊維（Ｂａｓａｌｔ Ｆｉｂｅｒ）と合成樹脂を棒状に形成したものを使用することができる。棒状の繊維強化部材１３の物性値の例としては、６φで引張り強度が１３００Ｎ/ｍｍ２、バサルト繊維の引張弾性率が５５ｋＮ/ｍｍ2、部材の断面積が２８．３ｍｍ2 、部材のバサルト繊維含有率が５５％であり、１０φで引張り強度が１２５１Ｎ/ｍｍ２、バサルト繊維の引張弾性率が９０ｋＮ/ｍｍ２、部材の断面積が７８．５ｍｍ２、部材のバサルト繊維含有率が６５％である。バサルト繊維は、低吸収性に優れると共に、分離指数が高く、耐蝕性にも優れている。
また、上記に示した外径以外のバサルト繊維の他にガラス繊維、アラミド繊維等の楔定着が難しい緊張材も使用することができる。
【００２７】
なお、以上の実施例では、構造物１０に対して棒状の繊維強化部材１３を一本設置する場合について説明したが、複数本設置してもよい。
【００２８】
さらに、本発明は上述の実施例に限定されることなく、特許請求の範囲の記載に基づいて種々の設計変更が可能である。
【符号の説明】
【００２９】
１０    構造物
１１    先貼りシート
１１ａ  剥離防止シート
１２    緊張装置
１３    棒状の繊維強化部材
１４    接着用樹脂
１５    樹脂用枠モルタル
１６    後貼りシート
１７    接着部
１８    緊張材固定部
１９    油圧ジャッキ
２０、２０−１  緊張材偏向部
２０ａ  溝部
２１    反力梁
２２    緊張材カプラー
２３    偏向可能緊張材
２４    スライド板
２５    案内ピン
２６    側壁
２７    長穴
２８    油圧ジャッキ
２９    樹脂用枠
３１    プライマー
【図１】
0006444330.tif 000002
【図２】
0006444330.tif 000003
【図３】
0006444330.tif 000004
【図４】
0006444330.tif 000005
【図５】
0006444330.tif 000006
【図６】
0006444330.tif 000007
【図７】
0006444330.tif 000008
【図８】
0006444330.tif 000009
【図９】
0006444330.tif 000010
【図１０】
0006444330.tif 000011
【図１１】
0006444330.tif 000012